(57)【特許請求の範囲】
【請求項１】
映像や文字などが表示される表示体を支持するための表示体支持装置であって、基体には接地部が設けられ、基体は下体と上体とで構成され、この下体と上体とは嵌合構造であって伸縮自在に構成され、更に、基体には、上体を引き上げた際、該上体が下体から分離することを阻止する分離阻止体が内装されており、前記分離阻止体として、一端が上体に固定され、長尺部を介して他端には係止部が連結された長尺部材が採用され、前記係止部が係止される被係止部は、前記下体に形成され前記長尺部の通過を許容し前記係止部の通過を阻止する貫通孔であり、この貫通孔には前記長尺部が嵌挿されており、前記上体を引き上げた際、前記下体に形成した前記貫通孔に前記係止部が係止されるように構成されていることを特徴とする表示体支持装置。
【請求項２】
映像や文字などが表示される表示体を支持するための表示体支持装置であって、基体には接地部が設けられ、基体は下体と上体とで構成され、この下体と上体とは嵌合構造であって伸縮自在に構成され、更に、基体には、上体を引き上げた際、該上体が下体から分離することを阻止する分離阻止体が内装されており、前記分離阻止体として、長尺部の両端に係止部が連結された長尺部材が採用され、前記係止部が係止される被係止部は、前記上体及び前記下体に形成され前記長尺部の通過を許容し前記係止部の通過を阻止する貫通孔であり、この貫通孔には前記長尺部が嵌挿されており、前記上体を引き上げた際、前記上体に形成した前記貫通孔及び前記下体に形成した前記貫通孔に前記係止部が係止されるように構成されていることを特徴とする表示体支持装置。
【請求項３】
請求項１，２いずれか１項に記載の表示体支持装置において、前記下体と上体との嵌合構造は、下体が上体に被嵌される嵌合構造であることを特徴とする表示体支持装置。
【請求項４】
請求項１〜３いずれか１項に記載の表示体支持装置において、前記表示体としてスクリーンを採用したことを特徴とする表示体支持装置。
【発明の詳細な説明】
【０００１】
【発明の属する技術分野】
本発明は、映像や文字などが表示される表示体を支持するための表示体支持装置に関するものである。
【０００２】
【従来の技術及び発明が解決しようとする課題】
従来から、映像や文字などが表示される表示体、例えばスクリーンを支持するためのスクリーン支持装置（以下、従来例という。）が提案されている。
【０００３】
この従来例は、基体に接地部を設け、この基体は、接地部に立設される筒状の下体と、この下体にスライド移動自在に嵌合連結され、スクリーンに連結される筒状の上体とからなり、よって、従来例は、基体が上下方向に伸縮可能であり、スクリーンの高さ調整を行うことができる。
【０００４】
しかしながら、従来例は、例えばスクリーンの高さ調整に際して基体を伸ばした際、誤って上体が下体から抜け出てしまいスクリーンを落として損傷してしまう恐れがある。
【０００５】
本出願人は、上述の問題点に鑑み、極めて商品価値の高い画期的な表示体支持装置を開発した。
【０００６】
【課題を解決するための手段】
添付図面を参照して本発明の要旨を説明する。
【０００７】
映像や文字などが表示される表示体１を支持するための表示体支持装置であって、基体３には接地部２が設けられ、基体３は下体４と上体５とで構成され、この下体４と上体５とは嵌合構造であって伸縮自在に構成され、更に、基体３には、上体５を引き上げた際、該上体５が下体４から分離することを阻止する分離阻止体６が内装されており、前記分離阻止体６として、一端が上体５に固定され、長尺部６ａを介して他端には係止部６ｂが連結された長尺部材が採用され、前記係止部６ｂが係止される被係止部は、前記下体４に形成され前記長尺部６ａの通過を許容し前記係止部６ｂの通過を阻止する貫通孔であり、この貫通孔には前記長尺部６ａが嵌挿されており、前記上体５を引き上げた際、前記下体４に形成した前記貫通孔に前記係止部６ｂが係止されるように構成されていることを特徴とする表示体支持装置に係るものである。
【０００８】
また、映像や文字などが表示される表示体１を支持するための表示体支持装置であって、基体３には接地部２が設けられ、基体３は下体４と上体５とで構成され、この下体４と上体５とは嵌合構造であって伸縮自在に構成され、更に、基体３には、上体５を引き上げた際、該上体５が下体４から分離することを阻止する分離阻止体６が内装されており、前記分離阻止体６として、長尺部６ａの両端に係止部６ｂが連結された長尺部材が採用され、前記係止部６ｂが係止される被係止部は、前記上体５及び前記下体４に形成され前記長尺部６ａの通過を許容し前記係止部６ｂの通過を阻止する貫通孔であり、この貫通孔には前記長尺部６ａが嵌挿されており、前記上体５を引き上げた際、前記上体５に形成した前記貫通孔及び前記下体４に形成した前記貫通孔に前記係止部６ｂが係止されるように構成されていることを特徴とする表示体支持装置に係るものである。
【０００９】
また、請求項１，２いずれか１項に記載の表示体支持装置において、前記下体４と上体５との嵌合構造は、下体４が上体５に被嵌される嵌合構造であることを特徴とする表示体支持装置に係るものである。
【００１０】
また、請求項１〜３いずれか１項に記載の表示体支持装置において、前記表示体１としてスクリーンを採用したことを特徴とする表示体支持装置に係るものである。
【００１１】
【発明の作用及び効果】
本発明は、上体５を引き上げたり引き下げたりして基体３を伸縮させることで表示体１の高さ調整を行う。
【００１２】
この際、仮に上体５を最大限に引き上げたとしても、基体３に内装された分離阻止体６により上体５が下体４から分離することは阻止される。
【００１３】
よって、本発明によれば、表示体１の落下を気にせず安心して基体３を伸縮させることができ、これにより表示体１の高さ調整が迅速且つ確実に行えることになる。
【００１４】
以上のように、本発明は、従来にない画期的な作用効果を発揮し、極めて商品価値の高いものになる。
【００１５】
【発明の実施の形態】
図面は本発明の一実施例を図示したものであり、以下に説明する。
【００１６】
本実施例は、映像や文字などが表示される表示体１としてのスクリーン（公知の偏光スクリーン等）を支持するためのスクリーン支持装置Ａである。
【００１７】
尚、本実施例は、スクリーン１を支持するスクリーン支持装置Ａとして構成したが、これに限られるものではなく、例えば黒板や白板などの文字を表示する表示体１を支持する支持装置として構成するなど本実施例の特性を発揮する構成であればその応用範囲は多岐にわたるものである。
【００１８】
具体的に説明すると、このスクリーン支持装置Ａは、接地部２を有する左右一対の基体３を架設体８により連結して構成される。尚、例えば一つの基体３のみをスクリーン支持装置Ａとして機能するように構成しても良い。
【００１９】
基体３は、適宜な金属製の角筒部材で形成された下体４と上体５との嵌合構造に設定されて伸縮自在に構成されている。
【００２０】
下体４には、前後方向に突出する接地部２が設けられ、この接地部２の下方部位はキャスター９が設けられている。
【００２１】
この下体４には上体５がスライド移動自在に嵌挿連結されている。尚、下体４に上体５を被嵌させてスライド移動自在に連結する構成でも良い。
【００２２】
上体５は、図１〜６に図示したように適宜な金属製の角筒部材で形成したものであり、その背面にスライド移動規制部12に係る係止体13が係止する複数の係止孔５ｂが一定間隔で形成されている。
【００２３】
また、上体５は、その底面中央に貫通孔５ａが形成されており、この貫通孔５ａは後記の分離阻止体６の長尺部６ａの嵌挿を許容し、係止部６ｂの通過を阻止する被係止部７となる。
【００２４】
尚、上体５の上端には適宜な蓋体21が設けられる。
【００２５】
また、基体３は、その内部に分離阻止体６が設けられている。
【００２６】
この分離阻止体６は、図２〜５に図示したように適宜な金属製の棒状部材の下端部にリング状の固定部６ｃを有するリング状体22が装着（螺着）されており、この固定部６ｃは、下体４の所定位置に架設されたピン10に被嵌されるものである。
【００２７】
また、分離阻止体６の上端部にはリング状の係止部６ｂを有するリング状体11が装着（螺着）され、この係止部６ｂは上体５の貫通孔５ａよりも径大となるように構成されている。
【００２８】
下体４の筒孔４ａ内に分離阻止体６の固定部６ｃをピン10により固定し、上体５の貫通孔５ａに分離阻止体６の長尺部６ａを嵌挿させながら下体４に上体５を嵌挿させ、この状態で分離阻止体６の上端部に係止部６ｂを形成する。
【００２９】
従って、分離阻止体６は、上体５を引き上げた際、係止部６ｂが上体５の被係止部７に係止することで上体５が下体４から分離することが阻止される。
【００３０】
尚、分離阻止体６の長尺部６ａとしては、棒状の部材に限らず所定長の紐状の部材や板状の部材でも良く、また、係止部６ｂを長尺部６ａの任意の位置に移動可能に設けて、上体５の最大引き上げ距離を可変可能に設けるなど適宜設計変更し得るものである。
【００３１】
また、本実施例では、分離阻止体６の下端部を下体４に固定し、上体５を引き上げた際、この分離阻止体６の上端部に設けた係止部６ｂに上体５の被係止部７を係止させる構成であるが、例えば分離阻止体６の上端部を上体５に固定し、上体５を引き上げた際、この分離阻止体６の下端部に設けた係止部６ｂに下体４の被係止部を係止させる構成や、分離阻止体６の両端部に係止部６ｂを設けるとともに、下体４及び上体５双方に被係止部７を設け、上体５を引き上げた際、分離阻止体６の係止部６ｂ夫々と下体４の被係止部７及び上体５の被係止部７を係止させることで、上体５が下体４から分離することを阻止する構成としても良い。
【００３２】
下体４には、その背面に上体５のスライド移動を規制するスライド移動規制部12が設けられている。
【００３３】
このスライド移動規制部12は、上体５の係止孔５ｂ内に突没自在となる係止体13を設けて構成されている。
【００３４】
この係止体13は、図３〜５に図示したように適宜な金属製の部材を棒状に形成したものであり、その先端部13ａは上体５の背面に設けられる係止孔５ｂに嵌挿係止し得る径に設定されている。
【００３５】
また、下体４にはガイド部14が設けられ、このガイド部14の図５中右端には蓋14ａが螺着され、係止体13はこの蓋14ａ，下体４及び上体５に嵌挿される。この係止体13には発条16が被嵌され、この発条16は蓋14ａと係止体13に固着されたバネ受け15とにより支承されている。従って、この係止体13は常時その先端部13ａが上体５の係止孔５ｂ内に嵌入されるように付勢されている。
【００３６】
従って、スライド移動規制部12は、係止体13の先端部13ａが上体５の係止孔５ｂに嵌入係止した状態では、下体４に対する上体５のスライド移動が防止され、そして、その基端部に設けたハンドル13ｂを引動して係止体13を係止孔５ｂから抜き出すと、下体４と上体５との連結は解除される。
【００３７】
また、本実施例は、この係止体13を上体５の最下段の係止孔５ｂに係止させた際、分離阻止体６の係止部６ｂが上体５の被係止部７（貫通孔５ａ）に係止するように構成されている（図５参照）。
【００３８】
尚、本実施例ではスライド移動を規制する手段として、一定間隔に複数形成された係止孔５ｂに係止体13の嵌挿係止させて段階的に移動阻止が行われる構成としているが、例えば上体５の表面に当接部材を当接（圧接）させて無段階に移動阻止が行われる構成としても良い。
【００３９】
符号23は緩み止めナットである。
【００４０】
また、上体５はスクリーン１の背面左右部に連結金具17を介して連結される。
【００４１】
この連結金具17は、図６に図示したように上体５に付設される板状の第一部材18と、スクリーン１の背面に付設される板状の第二部材19とで構成されている。
【００４２】
この第一部材18と第二部材19とは、第一部材18に形成した突起18ａに第二部材19に形成した凹溝19ａを係止し、且つ、第一部材18に設けたネジ穴18ｂと第二部材19に設けた円弧長窓孔19ｂとを合致させ、この状態で螺着体20をネジ穴18ｂに外側から螺着して連結する。
【００４３】
螺着体20の螺着を緩め、第二部材19を第一部材18の突起18ａを支点に回動させると、スクリーン１は基体３に対して角度αが±１０度の範囲内で調整が可能となる（図７参照）。
【００４４】
以上の構成からなるスクリーン１を支持する支持装置Ａの組み立てについて説明する。
【００４５】
まず、下体４の上部開口部から分離阻止体６を挿入し、この分離阻止体６の下端部に設けた固定部６ｃにピン10を挿入することで、分離阻止体６を下体４に固定する。
【００４６】
続いて、上体５の貫通孔５ａに分離阻止体６の長尺部６ａを嵌挿させながら下体４に上体５を嵌挿させ、この状態で長尺部６ａにリング状体11を螺着して分離阻止体６の上端部に係止部６ｂを形成する。
【００４７】
その後、上体５の上部に蓋体21を装着して完成する。
【００４８】
本実施例は上述のように構成したから、スクリーン１の高さ調整に際しては、スライド移動規制部12における上体５と下体４とのスライド移動阻止状態を解除し、上体５を引き上げたり引き下げたりして基体３を伸縮させることになる。
【００４９】
この際、仮に上体５を最大限に引き上げたとしても、基体３に内装された分離阻止体６の係止部６ｂが上体５の被係止部７に係止することにより上体５が下体４から分離することが阻止される。
【００５０】
よって、本実施例によれば、スクリーン１の落下を気にせず、安心して上体５を引き上げ、基体３を安心して伸縮させることができ、これによりスクリーン１の高さ調整が迅速且つ確実に行えることになる。
【００５１】
また、本実施例は、特に落下等の衝撃に弱く、高価なスクリーン１の支持装置Ａとして構成することでその特性を十分に発揮させることができる。
【００５２】
尚、上体５における下体４からの分離を阻止する手段としては、下体４及び上体５夫々に凸部を形成し、上体５を引き上げた際、この凸部同志が係合して下体４からの分離を阻止する構成など適宜設計し得るものである。
【図面の簡単な説明】
【図１】  本実施例を示す斜視図である。
【図２】  本実施例に係る要部の説明図である。
【図３】  本実施例に係る要部の説明図である。
【図４】  本実施例に係る要部の説明図である。
【図５】  本実施例に係る要部の説明図である。
【図６】  本実施例に係る要部の説明図である。
【図７】  本実施例を示す側面図である。
【符号の説明】
１  表示体
２  接地部
３  基体
４  下体
５  上体
６  分離阻止体
６ａ  長尺部
６ｂ  係止部
【図１】
0003700050.tif 000002
【図２】
0003700050.tif 000003
【図３】
0003700050.tif 000004
【図４】
0003700050.tif 000005
【図５】
0003700050.tif 000006
【図６】
0003700050.tif 000007
【図７】
0003700050.tif 000008